(57)【要約】      （修正有）【課題】コンクリート製品の設置時、他のコンクリート製品とのズレを極力防止すると共に、接続部分の美観を損なうことをも極力防止するコンクリート製品を提供する。【解決手段】設置時、他のコンクリート製品と対向する側の表面に凸状体２を複数設けたコンクリート製品１において、凸状体２の高さをｈ、凸状体２の中心間距離をＬｃ、コンクリート製品端部１ｂと、この端部１ｂに最も近い凸状体２の中心距離をＬｅとしたとき、  ０．２ｍｍ  ≦  ｈ  ≦  １ｍｍ  ７ｍｍ  ≦  Ｌｃ  ≦  ３０ｍｍ  １３ｍｍ  ≦  Ｌｅ  ≦  ３０ｍｍ  の関係を満たす寸法としたものである。【選択図】図２
0003210228.tif 000002
【実用新案登録請求の範囲】
【請求項１】
設置時、他のコンクリート製品と対向する側の表面に凸状体を複数設けたコンクリート製品において、
前記凸状体の高さをｈ、凸状体の中心間距離をＬｃ、コンクリート製品端部と、この端部に最も近い凸状体の中心距離をＬｅとしたとき、
０．２ｍｍ  ≦  ｈ  ≦  １ｍｍ
７ｍｍ  ≦  Ｌｃ  ≦  ３０ｍｍ
１３ｍｍ  ≦  Ｌｅ  ≦  ３０ｍｍ
の関係となることを特徴とするコンクリート製品。
【請求項２】
前記凸状体は他のコンクリート製品と対向する側面に設けられていることを特徴とする請求項１記載のコンクリート製品。
【請求項３】
筒状をなすボックスカルバートであって、他のコンクリート製品と対向する開口縁に前記凸状体を設けたことを特徴とする請求項１又は２記載のコンクリート製品。
【請求項４】
縁石であって、断面寸法の上辺幅をａｃ、底辺幅をｂｃ、高さをｈｃとしたとき、
１５０ｍｍ  ≦  ａｃ  ≦  １８０ｍｍ
１７０ｍｍ  ≦  ｂｃ  ≦  ２１０ｍｍ
２００ｍｍ  ≦  ｈｃ  ≦  ３００ｍｍ
の関係となることを特徴とする請求項１又は２記載のコンクリート製品。
【請求項５】
四角柱形状の地先境界ブロックであって、断面寸法の一辺の幅をａｂ、高さをｈｂとしたとき、
１２０ｍｍ  ≦  ａｂ  ≦  １５０ｍｍ
１２０ｍｍ  ≦  ｈｂ  ≦  １５０ｍｍ
の関係となることを特徴とする請求項１又は２記載のコンクリート製品。
【考案の詳細な説明】
【技術分野】
【０００１】
本考案は、表面に凸状体を複数設けたコンクリート製品に関するものである。
【背景技術】
【０００２】
コンクリート製品の中で、特に縁石、地先境界ブロック、ボックスカルバート等は、通常、長い距離に設置しなければならないものであるため、持ち運び可能な所定長さのコンクリート製品を複数個用意し、現場で設置作業を行うものである。また、この設置作業は、コンクリート製品を必要個数並べ、接続部の目地にモルタルを充填するというものが一般的である。
【０００３】
また、従来、この種コンクリート製品同士の接続面は垂直面であると共に、平坦に形成されているため、コンクリート製品同士の接続部の目地モルタルが固まる前に、コンクリート製品に何らかの振動、例えば地震や他の作業による振動などが生じると、コンクリート製品がズレてしまう恐れがあった。
【０００４】
更に、接続部が垂直面で平面接続となるので接続部が合いづらく作業性が悪いため、作業者の熟練度によっては接続部の仕上がりが悪く美観を損なう恐れもあった。
【０００５】
そこで特許文献１には、境界ブロック部は、左右に横長の肉厚角柱状体における前面部を傾斜面に構成すると共に、下面には下向き略Ｕ字状のくぼみ部が形成されてなるブロック本体において、当該ブロック本体の左方側面と右方側面には単一の凹部と凸部とが形成され、当該ブロック本体を左右方向に連設する場合、それぞれのブロック本体に設けられた、単一の凹部と凸部とを互いに係合する構造が開示されている。
【先行技術文献】
【特許文献】
【０００６】
【特許文献１】特開平９−１６５７１１
【考案の概要】
【考案が解決しようとする課題】
【０００７】
しかしながら、この特許文献１は、ブロック本体を左右方向に連設する場合、互いに係合する角錘台状の凹部と角錘台状の凸部とにより、ブロック本体のズレを防止しているため、設置済みの既存コンクリート製品に連接する場合、既存コンクリート製品側が平坦であると、ブロック本体に凸部が形成されていても係合することができず、ズレたり接続部の美観を損ねるという問題があった。
【０００８】
本考案は、このような問題点に鑑みてなされたもので、コンクリート製品の設置時、他のコンクリート製品とのズレを極力防止すると共に、接続部分の美観を損なうことをも極力防止することを目的とする。
【課題を解決するための手段】
【０００９】
本考案の請求項１にかかるコンクリート製品は、設置時、他のコンクリート製品と対向する側の表面に凸状体を複数設けたコンクリート製品において、
前記凸状体の高さをｈ、凸状体の中心間距離をＬｃ、コンクリート製品端部と、この端部に最も近い凸状体の中心距離をＬｅとしたとき、
０．２ｍｍ  ≦  ｈ  ≦  １ｍｍ
７ｍｍ  ≦  Ｌｃ  ≦  ３０ｍｍ
１３ｍｍ  ≦  Ｌｅ  ≦  ３０ｍｍ
の関係となることを特徴とする。
【００１０】
本考案の請求項２にかかるコンクリート製品は、前記凸状体は他のコンクリート製品と対向する側面に設けられていることを特徴とする。
【００１１】
本考案の請求項３にかかるコンクリート製品は、筒状をなすボックスカルバートであって、他のコンクリート製品と対向する開口縁に前記凸状体を設けたことを特徴とする。
【００１２】
本考案の請求項４にかかるコンクリート製品は、縁石であって、断面寸法の上辺幅をａｃ、底辺幅をｂｃ、高さをｈｃとしたとき、
１５０ｍｍ  ≦  ａｃ  ≦  １８０ｍｍ
１７０ｍｍ  ≦  ｂｃ  ≦  ２１０ｍｍ
２００ｍｍ  ≦  ｈｃ  ≦  ３００ｍｍ
の関係となることを特徴とする。
【００１３】
本考案の請求項５にかかるコンクリート製品は、四角柱形状の地先境界ブロックであって、断面寸法の一辺の幅をａｂ、高さをｈｂとしたとき、
１２０ｍｍ  ≦  ａｂ  ≦  １５０ｍｍ
１２０ｍｍ  ≦  ｈｂ  ≦  １５０ｍｍ
の関係となることを特徴とする。
【考案の効果】
【００１４】
本考案のコンクリート製品は、設置時、他のコンクリート製品と対向する側の表面に凸状体を複数設けたコンクリート製品において、前記凸状体の高さをｈ、凸状体の中心間距離をＬｃ、コンクリート製品端部と、この端部に最も近い凸状体の中心距離をＬｅとしたとき、凸状体の高さｈを０．２ｍｍ以上、１ｍｍ以下、凸状体の中心間距離Ｌｃを７ｍｍ以上、３０ｍｍ以下、製品端部とこの端部に最も近い凸状体の中心との距離Ｌｅを１３ｍｍ以上、３０ｍｍ以下とすることにより、複数のコンクリート製品を設置する際、隣接するコンクリート製品の対向面に前記凸状体が位置し、コンクリート製品同士の摩擦係数が高まることにより、コンクリート製品同士がズレてしまうことを防止できるものである。また、このズレを防止することにより、接続部分の目地モルタルなどの仕上げの美観を損なうことをも極力防止することができる。
【００１５】
更に、凸状体を複数設けることにより、コンクリート製品の表面積が増加し、コンクリート製品が乾燥する際の温度収縮時の耐性が増すことで、ひび割れの発生を防止でき、凸状体が設けられている面の強度向上を図ることができる。このため、前記凸状体を他のコンクリート製品と対向する側面に設けた場合、設置時、コンクリート製品側面のコンクリート剥落を極力防止できるものである。
【図面の簡単な説明】
【００１６】
【図１】図１は本考案の複数の凸状体を示すコンクリート製品の要部を拡大した平面図である。
【図２】図２は図１のＡ‐Ａ断面図である。
【図３】図３は本考案をボックスカルバートに適用した場合を示すコンクリート製品の斜視図である。
【図４】図４は本考案を縁石に適用した場合を示すコンクリート製品の斜視図である。
【図５】図５は本考案を地先境界ブロックに適用した場合を示すコンクリート製品の斜視図である。
【考案を実施するための形態】
【００１７】
本考案のコンクリート製品は、コンクリート製品の設置時、他のコンクリート製品とのズレを極力防止すると共に、接続部分の美観を損なうことをも極力防止できるものである。更に、物理的な形状として、表面に複数の凸状体を所定の間隔で配置することにより、原材料の相違に関わらず、ひび割れの発生を防止し、化学的な調整を補足できるものである。
【実施例１】
【００１８】
図１及び２は本考案のコンクリート製品１の表面に凸状体２を複数形成したパターン面１ａを一部拡大したものである。このパターン面１ａの凸状体２は、製造のし易さを考慮し、底面Ｌｂが直径５ｍｍ、上面Ｌｔが直径１ｍｍ、高さｈが１ｍｍの円錐台形状をしている。また、形状は円錐台に限られるものではなく、角錐台、円錐、角錐などであっても良いし、高さｈは０．２ｍｍ〜１ｍｍの範囲で適宜選定できるものとする。尚、本考案の凸状体２を複数形成したパターン面１ａは、後述するボックスカルバート、縁石、地先境界ブロックなどのコンクリート製品１に適用するものである。
【００１９】
そして、複数のコンクリート製品１を設置する際、隣接するコンクリート製品と対向する面にパターン面１ａを位置させることで、前記凸状体２が隣接するコンクリート製品に接触するため、コンクリート製品１同士の摩擦係数が高まることになる。これにより、コンクリート製品１同士がズレてしまうことを極力防止でき、このズレを防止することにより、接続部分の目地モルタルなどの仕上げの美観を損なうことをも極力防止することができる。
【００２０】
更に、凸状体２を複数設けることにより、コンクリート製品１の表面積が増加し、コンクリート製品１が乾燥する際の温度収縮時の耐性が増すことで、ひび割れの発生を防止でき、凸状体２が設けられている面の強度向上を図ることができる。このため、前記凸状体２を他のコンクリート製品と対向する側面に設けた場合、設置時、コンクリート製品側面のコンクリート剥落を極力防止できるものである。
【００２１】
ここで、ひび割れを防止できる凸状体２の適正な配置寸法を調べるため、コンクリート平板上に円錐台の凸状体２を複数形成し、隣り合う凸状体２の中心間距離をＬｃとし、コンクリート平板のコンクリート端部１ｂと、このコンクリート端部１ｂに最も近い凸状体２の中心との距離をＬｅとしたとき、「凸状体の中心間距離Ｌｃ」と、「コンクリート端部と凸状体中心との距離Ｌｅ」について複数の寸法を用意し、ひび割れの有無との関係について検討した。この検討結果の一例を表１に示す。
【００２２】
【表１】
0003210228.tif 000003
【００２３】
この表１によると、凸状体２の中心間距離Ｌｃは７ｍｍから３０ｍｍまでひび割れの発生を抑制できたが、３０ｍｍを越えるとひび割れが発生し、コンクリート端部と凸状体２の中心との距離Ｌｅは１３ｍｍから３０ｍｍまでひび割れの発生を抑制できたが、３０ｍｍを越えるとひび割れが発生した。尚、凸状体２の中心間距離Ｌｃを７ｍｍ以上、コンクリート端部と凸状体２の中心との距離Ｌｅを１３ｍｍ以上としているのは、それより小さい寸法では製造が非常に困難となるためである。
【００２４】
以上のことから、凸状体２の高さをｈ、隣り合う凸状体２の中心間距離をＬｃ、コンクリート端部１ｂと、このコンクリート端部１ｂに最も近い凸状体２の中心との距離をＬｅとしたとき、
０．２ｍｍ  ≦  ｈ  ≦  １ｍｍ
７ｍｍ  ≦  Ｌｃ  ≦  ３０ｍｍ
１３ｍｍ  ≦  Ｌｅ  ≦  ３０ｍｍ
の関係を満たす寸法が適正であるといえる。
【００２５】
本実施例１のコンクリート製品１のパターン面１ａは、凸状体２を底面Ｌｂが直径５ｍｍ、上面Ｌｔが直径１ｍｍ、高さｈが１ｍｍの円錐台とし、コンクリート端部１ｂと並行な線上に位置する凸状体２の中心間距離Ｌｃを１４ｍｍ、コンクリート端部１ｂに対して傾斜した線上に位置する凸状体２の中心間距離Ｌｃ２を１０ｍｍ、コンクリート端部１ｂと、このコンクリート端部１ｂに最も近い凸状体２の中心との距離Ｌｅを１３ｍｍとしている。
【００２６】
以上のパターン面１ａを側面、特に隣接するコンクリート製品と対向する面に形成することにより、複数のコンクリート製品１を設置する際、凸状体２により隣接するコンクリート製品１同士がズレてしまうことを防止できるものであるが、この凸状体２は、更にコンクリート製品１の表面積が増加し、コンクリート製品１が乾燥する際の温度収縮時の耐性が増すことで、ひび割れの発生を防止できるものでもある。
【００２７】
尚、このような凸状体２は、コンクリート製品１の上面、即ち人や自転車、車椅子等が通るであろう面に形成しても良い。この場合、前述した「凸状体の高さｈ」、「凸状体の中心間距離Ｌｃ」、「コンクリート端部と凸状体中心との距離Ｌｅ」は、タイヤなどが程よくグリップする寸法関係であるため、快適で安全に通行できるものである。更に、雨天等の場合であっても、雨水が凸状体２間を流れて排水されることとなるため、通行時の快適性や安全性を極力確保できるものである。
【００２８】
図３は、このような本考案の凸状体２をボックスカルバートに適用した一例を示すもので、角筒をなすコンクリート製品１の開口縁３に凸状体２を設け、パターン面１ａが形成されているものである。ここで、ボックスカルバートとは、地中に埋設される筒形状の構造物で、 道路、水路、通信線等の収容など各種の用途に使用されるものである。
【００２９】
このようなボックスカルバートの場合、図３に示すような角筒型のコンクリート製品１を多数つないで所定長さの空間を形成するものである。このとき開口縁３にパターン面１ａを形成する事で、隣接するコンクリート製品の対向面に前記凸状体２が位置するため、コンクリート製品１同士の摩擦係数が高まることにより、コンクリート製品１同士がズレてしまうことを防止できるものである。更に、隣接するコンクリート製品１の対向面は他のコンクリート製品１と接触するため、従来ではコンクリートの剥落の恐れがあったが、隣接するコンクリート製品１の対向面、即ち開口縁３に凸状体２を設ける事で強度が向上し、この部分でのコンクリートの剥落をも極力防止できるものである。
【００３０】
図４は、図１及び２に記載の本考案の凸状体２を縁石に適用した一例を示すもので、断面が台形をなす棒状のコンクリート製品１であり、歩道と車道、歩道と私有地などの境界に置くもので、上面４及び側面５に凸状体２を設けてパターン面１ａを形成しているものである。
【００３１】
また、本実施例１において、この縁石のコンクリート製品１の寸法は、断面寸法の上辺幅をａｃ、底辺幅をｂｃ、高さをｈｃとしたとき、
１５０ｍｍ  ≦  ａｃ  ≦  １８０ｍｍ
１７０ｍｍ  ≦  ｂｃ  ≦  ２１０ｍｍ
２００ｍｍ  ≦  ｈｃ  ≦  ３００ｍｍ
の関係となっており、その一例として、表２にＡ形、Ｂ形、Ｃ形の３通りの寸法関係を示す。
【００３２】
【表２】
0003210228.tif 000004
【００３３】
このような縁石の場合、図４に示すような断面が台形をなす棒状のコンクリート製品１を多数つないで所定長さの仕切りを形成するものである。このとき側面５にパターン面１ａを形成する事で、隣接するコンクリート製品の対向面に前記凸状体２が位置するため、コンクリート製品１同士の摩擦係数が高まることにより、コンクリート製品１同士がズレてしまうことを防止できるものである。更に、隣接するコンクリート製品１の対向面は他のコンクリート製品１と接触するため、従来ではコンクリートの剥落の恐れがあったが、隣接するコンクリート製品１の対向面、即ち側面５に凸状体２を設ける事で強度が向上し、この部分でのコンクリートの剥落をも極力防止できるものである。
【００３４】
更に、歩行者等が上面４に足を置く事が想定されるが、上面４にもパターン面１ａが形成されているため、快適で安全に通行できるものである。また、図示しないが、上面４のみならず縁石の底面に凸状体２を設けても良く、この場合はコンクリート製品１のズレ防止に貢献するものである。
【００３５】
図５は、図１及び２に記載の本考案の凸状体２を地先境界ブロックに適用した一例を示すもので、四角柱形状のコンクリート製品１であり、道路外と歩道との間、駐車スペースの境界、花壇・街路樹の仕切りなど幅広く用いられるもので、上面６及び側面７に凸状体２を設けてパターン面１ａを形成しているものである。
【００３６】
また、本実施例１において、この地先境界ブロックのコンクリート製品１の寸法は、断面寸法の一辺の幅をａｂ（ｂｂ）、高さをｈｂとしたとき、
１２０ｍｍ  ≦  ａｂ（ｂｂ）  ≦  １５０ｍｍ
１２０ｍｍ  ≦  ｈｂ  ≦  １５０ｍｍ
の関係となっており、その一例として、表３にＡ形、Ｂ形、Ｃ形の３通りの寸法関係を示す。
【００３７】
【表３】
0003210228.tif 000005
【００３８】
このような地先境界ブロックの場合、図５に示すような、四角柱形状のコンクリート製品１を多数つないで所定長さの仕切りを形成するものである。このとき側面７にパターン面１ａを形成する事で、隣接するコンクリート製品の対向面に前記凸状体２が位置するため、コンクリート製品１同士の摩擦係数が高まることにより、コンクリート製品１同士がズレてしまうことを防止できるものである。更に、隣接するコンクリート製品１の対向面は他のコンクリート製品１と接触するため、従来ではコンクリートの剥落の恐れがあったが、隣接するコンクリート製品１の対向面、即ち側面７に凸状体２を設ける事で強度が向上し、この部分でのコンクリートの剥落をも極力防止できるものである。
【００３９】
更に、歩行者等が上面６に足を置く事が想定されるが、上面６にもパターン面１ａが形成されているため、快適で安全に通行できるものである。また、図示しないが、上面６のみならず地先境界ブロックの底面に凸状体２を設けても良く、この場合はコンクリート製品１のズレ防止に貢献するものである。
【００４０】
尚、上述したような凸状体２を有するコンクリート製品１は、前記凸状体２と鏡像関係、即ち凸対応する凹状面を有するコンクリート製品型枠にコンクリートを投入し、コンクリートを養生後、型枠から外すことで凸状体２によるパターン面１ａを備えるコンクリート製品１が得られる。
【符号の説明】
【００４１】
１    コンクリート製品
１ａ  パターン面
１ｂ  コンクリート端部
２    凸状体
３    ボックスカルバートの開口縁
４    縁石の上面
５    縁石の側面
６    地先境界ブロックの上面
７    地先境界ブロックの側面
【図１】
0003210228.tif 000006
【図２】
0003210228.tif 000007
【図３】
0003210228.tif 000008
【図４】
0003210228.tif 000009
【図５】
0003210228.tif 000010